(57)【要約】【課題】陳列室の棚下方に冷気を吐出し、棚の上方の陳列室内を加温し、下方の陳列室内を冷却することができるショーケースにおいて、加温と冷却の切換構造と操作を簡素化する。【解決手段】ダンパ３６は、当該ダンパ自体を操作することにより、起立状態と水平状態とに変更可能とされており、起立状態では吹出口３４を閉塞し、水平状態で冷気ダクト６を閉塞し、吹出口３４を開放すると共に、当該水平状態で、ダンパ３６が切換スイッチ６３の接点を切り換え、この接点が切り換えられたことにより、制御装置は電気ヒータに通電する。【選択図】図５
2015165875.tif 000002
【特許請求の範囲】
【請求項１】
断熱壁の内側に仕切板を設け、該仕切板と前記断熱壁間に冷気ダクトを、前記仕切板の内側に前面が開口した陳列室をそれぞれ構成し、該陳列室内には商品陳列用の棚を架設すると共に、前記冷気ダクト内を上昇する冷気を前記仕切板に形成された吹出口から前記棚の前部に案内し、当該棚下方の前記陳列室内に吐出可能とされたショーケースにおいて、
前記棚に設けられた電気ヒータと、
前記吹出口を開閉自在に閉塞するダンパと、
前記吹出口に対応して前記冷気ダクト内に設けられた切換スイッチと、
前記電気ヒータの通電を制御する制御手段とを備え、
前記ダンパは、当該ダンパ自体を操作することにより、起立した状態と水平とされた状態とに変更可能とされており、起立した状態では前記吹出口を閉塞し、水平とされた状態で前記冷気ダクトを閉塞し、前記吹出口を開放すると共に、
当該水平とされた状態で、前記ダンパが前記切換スイッチの接点を切り換え、該接点が切り換えられたことにより、前記制御手段は前記電気ヒータに通電することを特徴とするショーケース。
【請求項２】
前記棚は前記陳列室内に複数段架設されており、前記ダンパが前記切換スイッチの接点を切り換えたとき、前記制御手段は、当該ダンパに対応する棚及びそれより上方の棚の前記電気ヒータに通電することを特徴とする請求項１に記載のショーケース。
【請求項３】
前記吹出口に対応して前記冷気ダクト内に設けられ、前記ダンパの水平状態を維持する手段を有することを特徴とする請求項１又は請求項２に記載のショーケース。
【請求項４】
前記吹出口に対応して前記冷気ダクト内に設けられたダンパ保持具を備え、
該ダンパ保持具は、前記仕切板の前記冷気ダクト側に間隔を存して対向する挟持部と、前記吹出口の上部後方に位置する支持部とを有し、
前記ダンパは、前記冷気ダクト側に位置する閉塞部と、前記陳列室側に位置する操作部とを有し、前記閉塞部が前記仕切板と前記ダンパ保持具の挟持部間に挿脱自在に落とし込まれた状態で起立し、前記閉塞部は前記仕切板の前記冷気ダクト側に沿って前記吹出口を閉塞し、前記操作部は前記仕切板の前記陳列室側に沿うと共に、前記操作部により持ち上げられ、前記閉塞部が前記仕切板と挟持部間から離脱した状態で水平となり、前記閉塞部は前記ダンパ保持具の支持部に支持されて前記冷気ダクトを閉塞し、前記操作部は前記吹出口より前記陳列室側に突出して前記棚と前記仕切板間に位置することを特徴とする請求項３に記載のショーケース。
【請求項５】
前記ダンパの水平状態を維持する手段は、前記ダンパ保持具の支持部が有する磁石であり、磁力により前記ダンパの水平状態を維持することを特徴とする請求項４に記載のショーケース。
【請求項６】
前記切換スイッチは、マイクロスイッチ又は近接スイッチであることを特徴とする請求項１乃至請求項５のうちの何れかに記載のショーケース。
【発明の詳細な説明】
【技術分野】
【０００１】
本発明は、陳列室内に架設した棚より下方の陳列室内を冷却、棚より上方の陳列室内を加温して使用することができるショーケースに関するものである。
【背景技術】
【０００２】
従来より缶飲料やペットボトル入り飲料等の商品を陳列販売するショーケースでは、前面が開口する陳列室内に商品陳列用の棚を架設し、この棚にはヒータを取り付けると共に、棚下面には棚下部ダクトを形成していた。そして、棚より上方の陳列室内を加温使用（温蔵温度帯）とし、下方を冷却使用（冷蔵温度帯等）とすることができるようにし、その場合には陳列室の背面の仕切板と断熱壁間に形成された冷気ダクトより冷気を棚下部ダクトに導入し、棚の前部から下方の陳列室内に吐出して冷却すると共に、ヒータを発熱させて棚上方の陳列室内を加温する方式が採られていた。
【０００３】
また、係る棚下部ダクトへの冷気の導入は、仕切板に形成した吹出口（開口部）と冷気ダクトの何れかを、当該仕切板に回動自在に取り付けられたダンパーによって開閉することにより行っていた（例えば、特許文献１参照）。
【先行技術文献】
【特許文献】
【０００４】
【特許文献１】特許第４７１６４０１号公報
【発明の概要】
【発明が解決しようとする課題】
【０００５】
しかしながら、前記特許文献１の構造では、棚下面に取り付けられた切換レバーによりダンパーを回動させていた。また、この切換レバーの動作によって棚下面に取り付けられたスイッチを切り換え、ヒータに通電する方式が取られていたため、構造が複雑化してコストアップに繋がると共に、切換レバーやスイッチが棚下部ダクトに存在するため、棚下部ダクトに流入した冷気が乱れるという問題もあった。
【０００６】
本発明は、係る従来の技術的課題を解決するために成されたものであり、陳列室の棚下方に冷気を吐出し、棚の上方の陳列室内を加温し、下方の陳列室内を冷却することができるショーケースにおいて、加温と冷却の切換構造と操作を簡素化することを目的とする。
【課題を解決するための手段】
【０００７】
上記課題を解決するために本発明のショーケースは、断熱壁の内側に仕切板を設け、この仕切板と断熱壁間に冷気ダクトを、仕切板の内側に前面が開口した陳列室をそれぞれ構成し、この陳列室内には商品陳列用の棚を架設すると共に、冷気ダクト内を上昇する冷気を仕切板に形成された吹出口から棚の前部に案内し、当該棚下方の陳列室内に吐出可能とされたものであって、棚に設けられた電気ヒータと、吹出口を開閉自在に閉塞するダンパと、吹出口に対応して冷気ダクト内に設けられた切換スイッチと、電気ヒータの通電を制御する制御手段とを備え、ダンパは、当該ダンパ自体を操作することにより、起立した状態と水平とされた状態とに変更可能とされており、起立した状態では吹出口を閉塞し、水平とされた状態で冷気ダクトを閉塞し、吹出口を開放すると共に、当該水平とされた状態で、ダンパが切換スイッチの接点を切り換え、この接点が切り換えられたことにより、制御手段は電気ヒータに通電することを特徴とする。
【０００８】
請求項２の発明のショーケースは、上記発明において棚は陳列室内に複数段架設されており、ダンパが切換スイッチの接点を切り換えたとき、制御手段は、当該ダンパに対応する棚及びそれより上方の棚の電気ヒータに通電することを特徴とする。
【０００９】
請求項３の発明のショーケースは、上記各発明において吹出口に対応して冷気ダクト内に設けられ、ダンパの水平状態を維持する手段を有することを特徴とする。
【００１０】
請求項４の発明のショーケースは、上記発明において吹出口に対応して冷気ダクト内に設けられたダンパ保持具を備え、このダンパ保持具は、仕切板の冷気ダクト側に間隔を存して対向する挟持部と、吹出口の上部後方に位置する支持部とを有し、ダンパは、冷気ダクト側に位置する閉塞部と、陳列室側に位置する操作部とを有し、閉塞部が仕切板とダンパ保持具の挟持部間に挿脱自在に落とし込まれた状態で起立し、閉塞部は仕切板の冷気ダクト側に沿って吹出口を閉塞し、操作部は仕切板の陳列室側に沿うと共に、操作部により持ち上げられ、閉塞部が仕切板と挟持部間から離脱した状態で水平となり、閉塞部はダンパ保持具の支持部に支持されて冷気ダクトを閉塞し、操作部は吹出口より陳列室側に突出して棚と仕切板間に位置することを特徴とする。
【００１１】
請求項５の発明のショーケースは、上記発明においてダンパの水平状態を維持する手段は、ダンパ保持具の支持部が有する磁石であり、磁力によりダンパの水平状態を維持することを特徴とする。
【００１２】
請求項６の発明のショーケースは、上記各発明において切換スイッチは、マイクロスイッチ又は近接スイッチであることを特徴とする。
【発明の効果】
【００１３】
本発明によれば、断熱壁の内側に仕切板を設け、この仕切板と断熱壁間に冷気ダクトを、仕切板の内側に前面が開口した陳列室をそれぞれ構成し、この陳列室内には商品陳列用の棚を架設すると共に、冷気ダクト内を上昇する冷気を仕切板に形成された吹出口から棚の前部に案内し、当該棚下方の陳列室内に吐出可能とされたショーケースにおいて、棚に設けられた電気ヒータと、吹出口を開閉自在に閉塞するダンパと、吹出口に対応して冷気ダクト内に設けられた切換スイッチと、電気ヒータの通電を制御する制御手段とを備え、ダンパは、当該ダンパ自体を操作することにより、起立した状態と水平とされた状態とに変更可能とされており、起立した状態では吹出口を閉塞し、水平とされた状態で冷気ダクトを閉塞し、吹出口を開放すると共に、当該水平とされた状態で、ダンパが切換スイッチの接点を切り換え、この接点が切り換えられたことにより、制御手段が電気ヒータに通電するようにしたので、ダンパ自体を操作して水平状態とするのみで、当該ダンパにより切換スイッチの接点が切り換えられ、電気ヒータに通電されるようになる。
【００１４】
これにより、ダンパを動作させるためのレバー等を設ける必要がなくなり、著しい構造の簡素化を図ることができるようになると共に、電気ヒータに通電するために別途スイッチを切り換えるなどの操作も不要となるので、操作性も著しく改善される。また、切換スイッチは冷気ダクト内に設けられているので、この切換スイッチにより吹出口から棚の前部に案内される冷気が乱される不都合も生じない。
【００１５】
また、請求項２の発明の如く棚が陳列室内に複数段架設されている場合、ダンパが切換スイッチの接点を切り換えたとき、制御手段が、当該ダンパに対応する棚及びそれより上方の棚の電気ヒータに通電するようにすれば、一つのダンパ操作のみでそれに対応する棚を含む上方の陳列室内の棚全ての電気ヒータに通電されるようになり、操作性の更なる向上を図ることができるようになる。
【００１６】
更に、請求項３の発明の如く吹出口に対応して冷気ダクト内に設けられ、ダンパの水平状態を維持する手段を設ければ、ダンパを安定的に水平状態に維持できると共に、切換スイッチのチャタリングも防止することが可能となる。
【００１７】
この場合、請求項４の発明の如く吹出口に対応して冷気ダクト内に設けられたダンパ保持具を備え、このダンパ保持具は、仕切板の冷気ダクト側に間隔を存して対向する挟持部と、吹出口の上部後方に位置する支持部とを有し、ダンパは、冷気ダクト側に位置する閉塞部と、陳列室側に位置する操作部とを有し、閉塞部が仕切板とダンパ保持具の挟持部間に挿脱自在に落とし込まれた状態で起立し、閉塞部は仕切板の冷気ダクト側に沿って吹出口を閉塞し、操作部は仕切板の陳列室側に沿うと共に、操作部により持ち上げられ、閉塞部が仕切板と挟持部間から離脱した状態で水平となり、閉塞部はダンパ保持具の支持部に支持されて冷気ダクトを閉塞し、操作部は吹出口より陳列室側に突出して棚と仕切板間に位置するようにすれば、回転軸を用いた回動やスライド等の複雑な構造を用いること無く、ダンパにより吹出口及び冷気ダクトを開閉することができるようになる。
【００１８】
即ち、棚の上下を冷却して使用する場合には、ダンパを起立状態として吹出口を閉塞する。そして、棚より上方の陳列室内を加温して使用し、棚より下方には冷気を吐出して冷却する場合等には、操作部によりダンパを持ち上げ、水平状態として冷気ダクトを閉塞し、吹出口を開くことにより、冷気を棚下方に吐出することができるようになり、更なる構造の簡素化による著しい生産コストの削減を図ることができるようになる。
【００１９】
このようなダンパ保持具を設けた場合、請求項５の発明の如くダンパの水平状態を維持する手段を、ダンパ保持具の支持部が有する磁石とし、磁力によりダンパの水平状態を維持するようにすれば、簡単な構造でダンパの水平状態を維持し、且つ、切換スイッチのチャタリングを防止でき、更に、その状態から起立させる操作も容易となる。
【００２０】
そして、請求項６の発明の如く切換スイッチを、マイクロスイッチ又は近接スイッチで構成すれば、冷気ダクト内の冷気の流通にも支障が生じないと共に、ダンパによって確実に接点の切り換えを行わせることができるようになるものである。
【図面の簡単な説明】
【００２１】
【図１】本発明を適用した一実施例のショーケースの斜視図である。
【図２】図１のショーケースの縦断側面図である。
【図３】図２のショーケースの棚部分の拡大図である。
【図４】図２のショーケースの棚を除くダンパ部分の正面図である。
【図５】図４のＡ−Ａ線断面図である。
【図６】図１のショーケースのダンパ部分の分解斜視図である。
【図７】図１のショーケースの棚の上方斜視図である。
【図８】図１のショーケースの棚の下後方斜視図である。
【図９】図１のショーケースの制御装置の電気回路図である。
【図１０】ダンパを持ち上げた状態の図１のショーケースの棚を除くダンパ部分の断面図である。
【図１１】ダンパを水平とした状態の図１のショーケースの棚部分の拡大図である。
【図１２】図１１のショーケースの棚を除くダンパ部分の断面図である。
【発明を実施するための形態】
【００２２】
以下、本発明の実施の形態について、図面に基づき詳細に説明する。実施例のショーケース１は、スーパーマーケットやコンビニエンスストア等の店舗において、缶飲料やペットボトル入り飲料等の商品を陳列販売するためのものであり、前面が開口する断面コ字状の断熱壁２により本体が構成されている。この断熱壁２の内側には間隔を存して仕切板３が配設され、更にこの仕切板３の下端には断熱壁２の底壁と間隔を存してデッキパン４が設けられている。
【００２３】
そして、これら仕切板３とデッキパン４と断熱壁２との間に一連の冷気ダクト６が構成されると共に、仕切板３及びデッキパン４の内側に前面が開口する陳列室７が構成されている。尚、８、８は透明ガラスが取り付けられた側板であり、断熱壁２の両側に取り付けられている。
【００２４】
陳列室７の前面開口の上縁には冷気吐出口９が構成され、下縁には冷気吸込口１１が構成されており、これらは前記冷気ダクト６と連通している。また、デッキパン４の下方の冷気ダクト６内には冷気循環用の送風機１２が配設されると共に、陳列室７の背面の仕切板３とその後方の断熱壁２との間の冷気ダクト６内には冷却装置の冷媒回路を構成する冷却器１３が縦設されている。送風機１２が運転されると、冷却器１３と熱交換した冷気が陳列室７後方の冷気ダクト６内を下から上に吹き上げられ、開口上縁の冷気吐出口９から陳列室７内に吐出される。そして、この陳列室７の前面開口に冷気エアーカーテンを形成しながら陳列室７内を冷却した後、冷気吸込口１１から冷気ダクト６内の送風機１２に吸い込まれることになる。
【００２５】
一方、断熱壁２の下方には機械室１４が構成されており、この機械室１４には冷却装置の冷媒回路を構成する圧縮機６１（図９）や図示しない凝縮器、凝縮器用送風機６２（図９）等が設置される。また、陳列室７の開口上縁の断熱壁２前端にはＬＥＤ等から成る照明灯１６が取り付けられている。
【００２６】
更に、陳列室７内には商品陳列用の棚１７が複数段（実施例では３段）架設されており、各棚１７は前後に引出自在とされている。この場合、陳列室７背面の左右両側には、上下に渡る支柱１８が取り付けられており、各支柱１８には上下所定の間隔で係合孔１９が複数形成されている（図１）。
【００２７】
そして、各支柱１８に左右一対のブラケット２１が取り付けられる。各ブラケット２１の後端には、図７、図８に示すように係合爪２２が形成されており、ブラケット２１はこの係合爪２２を係合孔１９に着脱自在に係合させることにより、支柱１８に係脱自在に取り付けられる。また、左右のブラケット２１には筋交い２３が取り付けられている。この筋交い２３は左右のブラケット２１に渡ってそれらを連結する。また、最上段と中央の棚１７を保持するブラケット２１を連結する筋交い２３は図３、図８に示すように矩形状の平板にて構成されている。
【００２８】
また、ブラケット２１の外面には前後に渡るスライドレール２４が取り付けられており、このスライドレール２４に棚１７の左右端から降下する側面板２６が取り付けられることにより、棚１７はブラケット２１及び筋交い２３の上側に位置して前後に引出自在に保持されている。尚、２７は各ブラケット２１に取り付けられたストッパであり、棚１７の下面両側に取り付けられたハンドル２５に係合してブラケット２１の上側に位置した状態の棚１７の前後の移動を禁止する。棚１７を前方の陳列室７外に引き出す際には手動によりハンドル２５を上に操作してストッパ２７との係合を解除する。
【００２９】
ここで、棚１７に商品を補充する際等にストッパ２７との係合を解除して棚１７を陳列室７外の前方に引き出すものであるが、この引き出した状態でも筋交い２３はその前端２３Ａが棚１７の後部下側に位置する寸法とされ、棚１７後方の陳列室７内を上下に仕切る。これにより、棚１７が引き出された状態でも、陳列室７は元の棚１７の高さで筋交い２３と棚１７とにより上下に仕切られた状態となる。
【００３０】
棚１７は、図３に示すように上面板２８と、この上面板２８の下側に設けられた断熱材（グラスウール）２９と、上面板２８の断熱材２９側に取り付けられた電気ヒータＨと、上面板２８の両側から降下する前記側面板２６と、前端に取り付けられた棚飾り３２とを備えており、上面板２８、側面板２６、棚飾り３２は何れも金属製である。棚飾り３２はプライスカード３３を取り付けるために用いられるが、最上段及び中央の棚１７に取り付けられた棚飾り３２の下部には斜め前下方に延在する風向板部３２Ａが形成されている。尚、前記電気ヒータＨはデッキパン４にも取り付けられているものとする。
【００３１】
前述したように最上段及び中央の棚１７を保持するブラケット２１の筋交い２３は矩形状の平板にて構成されており、その後端２３Ｂは仕切板３の直前に位置し、その前部は棚１７の前部まで渡り、前端２３Ａは棚飾り３２の風向板部３２Ａの後側に対峙している（図３）。また、棚１７と筋交い２３の間には図３に示すように所定の間隔が構成されており、ここが空気層３５となる。
【００３２】
他方、最上段及び中央の棚１７及び筋交い２３の後方に対応する位置の仕切板３には、吹出口３４がそれぞれ開口形成されている。各吹出口３４は図６に示すように横長矩形状を呈して棚１７の略全幅に対応する範囲に渡っており、筋交い２３の前後方向における中央部と略同じ高さに位置し、その後方にそれぞれ対応している。そして、各吹出口３４を介して冷気ダクト６内と陳列室７内は連通するが、各吹出口３４にはそれを開閉するためのダンパ３６がそれぞれ取り付けられ、また、各吹出口３４に対応する位置の冷気ダクト６内には、ダンパ保持具３７がそれぞれ取り付けられている（以下、例えば中央の棚１７について説明するが、最上段の棚１７も同様の構成である）。
【００３３】
前記ダンパ保持具３７は、断熱材２、仕切板３及び側板８の内側に沿った略枠状を呈した保持具本体３８と、この保持具本体３８の後辺３８Ａから断熱材２の内面に沿って起立し、断熱材２に固定された後壁３９と、この後壁３９の両側から前方に突出し、下面が斜め後下方に傾斜した案内部４１と、保持具本体３８の中央に位置して断熱材２に固定された中央の支持部４２とを備えている。保持具本体３８の前辺３８Ｂは左右辺３８Ｃ、３８Ｄの前端より低い位置にあり、仕切板３に固定されている。
【００３４】
この前辺３８Ｂの両側部は上昇して左右辺３８Ｃ、３８Ｄの前端に連結しているが、この上昇する部分は吹出口３４の両側縁の外側に位置し、仕切板３の冷気ダクト６側に所定の間隔を存して対向する挟持部４３とされている。各挟持部４３と仕切板３間には、上方及び吹出口３４側の横方向に開口したダンパ挟持用の隙間Ｇがそれぞれ構成される。また、保持具本体３８の中央に位置する支持部４２は、後述するようにダンパ３６が水平状態となったときに、当該ダンパ３６が撓まないようにその中央部を支持するものであり、その上端には磁石（ダンパ３６の水平状態を維持する手段としての永久磁石）４４が取り付けられ、この磁石４４の上面は、吹出口３４の上縁より少許下の後方（吹出口３４の上部後方）に位置している。
【００３５】
更に、この支持部４２の側方のダンパ保持具３７には、冷気ダクト６内に位置して切換スイッチ６３が取り付けられている。実施例では切換スイッチ６３は小型のマイクロスイッチにより構成されており、その上面からアクチュエータ６４が出没自在に突出している。尚、切換スイッチ６３は二つの接点６６Ａ、６６Ｂ（図９）を備えた二回路式のマイクロスイッチであり、アクチュエータ６４が上から押し下げられることにより、二つの接点６６Ａ、６６Ｂが閉じた状態に切り換わり、押し下げる力が無くなったときはアクチュエータ６４が自ら復帰して上方に突出し、接点６６Ａ、６６Ｂが開いた状態に切り換わるものである。
【００３６】
一方、前記ダンパ３６は、図６に示すような横長矩形状の金属製板材から成り、起立した状態で上部に位置する閉塞部４６と、この閉塞部４６より少許幅狭でそれより前側に段差５０を有して階段状にオフセット（折曲）された操作部４７とから成り、操作部４７の下縁は指で摘み易くなるように前側に少許屈曲されている。閉塞部４６の幅寸法は吹出口３４よりも大きく、操作部４７の幅寸法は吹出口３４を通過可能な、それより小さい寸法とされている。
【００３７】
そして、係るダンパ３６は、閉塞部４６が上、操作部４７が下となって上部が後ろとなって傾斜した状態で冷気ダクト６側から仕切板３の吹出口３４内に操作部４７が挿入され、起立した状態で閉塞部４６の両側下部が前記ダンパ保持具３７の挟持部４３と仕切板３間の隙間Ｇ内に上から挿脱自在に落とし込まれている。
【００３８】
次に、図９はショーケース１の制御手段としての制御装置６７の電気回路図を示している。制御装置６７は何れもマイクロコンピュータから構成されるコントローラ（インバータ基板）６８と加温基板６９とから成り、コントローラ６８が主に冷却制御を担い、加温基板６９が加温制御を担う。コントローラ６８には前述した圧縮機６１や送風機１２、凝縮器用送風機６２、照明灯１６の他、圧縮機６１や凝縮器、冷却器１３と共に冷媒回路を構成する電子膨張弁７０、陳列室７内の温度を検出する温度センサ７１、表示器７２や設定パネル７３が接続されている。
【００３９】
加温基板６９には各棚１７やデッキパン４の電気ヒータＨが接続されており、更に、各棚１７及びデッキパン４の温度をそれぞれ検出する温度センサ７４が接続されている。最上段の棚１７及び中央の棚１７に対応してそれぞれ冷気ダクト６内に設けられた切換スイッチ６３の接点６６Ａのコモン端子には、コントローラ６８からＤＣ電圧が供給され、接点６６Ｂのコモン端子には、加温基板６９からＤＣ電圧が供給される。そして、各切換スイッチ６３の接点６６Ａの常開端子はコントローラ６８に接続され、接点６６Ｂの常開端子は加温基板６９に接続されている。更に、コントローラ６８からはＡＬＬ  ＨＯＴの信号が加温基板６９に伝達される構成とされている。
【００４０】
以上の構成で、次に動作を説明する。
（１）全冷却使用状態
先ず、陳列室７内の全体を冷却して使用する場合には、最上段及び中央の棚１７に対応する各ダンパ３６を、前述した如くその操作部４７が冷気ダクト６側から仕切板３の吹出口３４内に挿入され、起立した状態で閉塞部４６の両側下部がダンパ保持具３７の挟持部４３と仕切板３間の隙間Ｇ内に上から挿脱自在に落とし込まれた起立状態とする。
【００４１】
この起立状態が図３、図４、図５に示されており、閉塞部４６と操作部４７の間の段差５０が吹出口３４の下縁に載る。また、閉塞部４６の両側下部が挟持部４３と仕切板３により隙間Ｇ内で保持（図４に破線で示す部分）され、ダンパ３６は自重で起立した状態となる。この起立状態で、閉塞部４６は仕切板３の冷気ダクト６側に沿って吹出口３４を閉塞し、操作部４７は仕切板３の陳列室７側に沿ったかたちとなる。尚、閉塞部４６の上下寸法は、この起立状態で吹出口３４を閉塞するのに十分な大きさを有している。
【００４２】
また、この状態で吹出口３４はダンパ３６の閉塞部４６で閉塞されており、冷気ダクト６内はダンパ保持具３７の枠状の保持具本体３８内を自由に冷気が通過可能に開放される（図５に白抜き矢印で示す）。従って、陳列室７内全体を冷却使用する場合には、最上段及び中央の棚１７に対応する各ダンパ３６を起立させて各吹出口３４を閉塞する。
【００４３】
また、ダンパ３６が起立した状態では各切換スイッチ６３のアクチュエータ６４は押し下げられずに上面から突出しており、接点６６Ａ、６６Ｂは開いている。この状態では各常開端子からはコントローラ６８、加温基板６９にＤＣ電圧（信号）が入力されないので、加温基板６９は電気ヒータＨに通電しない。また、コントローラ６８は温度センサ７１の検出値に基づいて圧縮機６１（インバータ制御）や各送風機１２、６２、電子膨張弁７０を制御する。
【００４４】
圧縮機６１が運転されて冷却器１３は冷却作用を発揮する。そして、送風機１２が運転されると、前述したように冷却器１３と熱交換した冷気が冷気ダクト６内を上昇し、開口上縁の冷気吐出口９から陳列室７内に吐出され、下縁の冷気吸込口１１から吸い込まれるようになるので、陳列室７の前面開口に冷気エアーカーテンが形成され、陳列室７内全体が所定の温度（例えば、冷蔵温度）に冷却される。
【００４５】
（２）冷温使用状態
次に、例えば中央（上から二段目）の棚１７より上の陳列室７内を加温して使用し、それより下の陳列室７内は冷却して使用する場合、先ず、当該中央の棚１７に対応して陳列室７側に位置しているダンパ３６の操作部４７を摘んで、或いは、下から押してダンパ３６自体を持ち上げ、図１０に示すようにその段差５０を吹出口３４の上縁に当接させる。その状態で閉塞部４６は仕切板３と挟持部４３間の隙間Ｇから上方に離脱しており、操作部４７を手前に引くと、ダンパ３６は操作部４７より閉塞部４６の方が重いため、自重で段差部５０を支点とし、図１０中時計回りに回転する（図１０に破線矢印で示す）。
【００４６】
このとき、閉塞部４６の先端両側部はダンパ保持具３７の案内部４１の斜め後下方に傾斜した下面に案内されて円滑に回転（移動）する。そして、図１１、図１２に示すように閉塞部４６がダンパ保持具３７の支持部４２上に載って水平となる。この水平状態で、ダンパ３６の閉塞部４６はダンパ保持具３７の保持具本体３８内を閉塞するので、冷気ダクト６内はこの高さでダンパ３６の閉塞部４６により閉塞される。また、ダンパ３６の閉塞部４６は、支持部４２の磁石４４に磁力によって着脱自在に吸着されるので、この水平状態は維持される。
【００４７】
また、ダンパ３６の閉塞部４６は、切換スイッチ６３上に覆い被さり、その重量により切換スイッチ６３のアクチュエータ６４を押し下げる。これにより、中央の棚１７に対応する切換スイッチ６３（図９の向かって左側）の接点６６Ａ、６６Ｂが閉じた状態に切り換わるので、当該切換スイッチ６３の接点６６Ａ、６６Ｂの常開端子からコントローラ６８、及び、加温基板６９にＤＣ電圧（信号）が入力される。
【００４８】
この中央の棚１７に対応する切換スイッチ６３から信号が入力されると、加温基板６９は当該中央棚１７及びそれより上の最上段の棚１７の電気ヒータＨに通電し、それらの温度センサ７４の検出値に基づいて通電を制御するようになる。また、コントローラ６８は中央の棚１７より上方の陳列室７の温度の異常を判断しなくなる。
【００４９】
このとき、ダンパ３６の閉塞部４６は支持部４２の磁石４４によって吸着されているので、切換スイッチ６３のアクチュエータ６４を押し下げた状態も安定的に維持される。これにより、各接点６６Ａ、６６Ｂのチャタリングも防止されることになる。
【００５０】
一方、吹出口３４は開放されるので、冷却器１３と熱交換して上昇して来た冷気は、閉塞部４６に堰き止められて前方の吹出口３４に向かい、吹出口３４から前方に吹き出されるようになる（図１２に白抜き矢印で示す）。また、操作部４７は吹出口３４の上縁部から陳列室７側に突出し、図１１に示すように棚１７及び筋交い２３と仕切板３間に位置するので、吹出口３４から前方に吹き出された冷気は棚１７より上方に漏れること無く、操作部４７に案内されて前方に向かい、更に筋交い２３に案内されて棚１７の前部（筋交い２３の前部）に至る（図１１中白抜き矢印で示す）。
【００５１】
筋交い２３に案内され、その下面に沿って棚１７の前部に至った冷気は、その前方で斜め前下方に延在する棚飾り３２の風向板部３２Ａに当たり、下方に向きが変えられるので、棚１７より下方の陳列室７の開口付近に下向で吹き出されることになる。このとき、切換スイッチ６３は冷気ダクト６内に設けられており、筋交い２３の下面などには存在しないので、切換スイッチ６３により吹出口３４から棚１７の前部に案内される冷気が乱される不都合も生じない。これにより、棚１７（中央の棚）より下方の陳列室７の開口に冷気エアーカーテンを形成しながら、当該下方の陳列室７内を冷却する（冷却使用状態）。
【００５２】
他方、中央及び最上段の棚１７の電気ヒータＨは加温基板６９により通電されて発熱するので、各棚１７の上面板２８は加熱され、その上に陳列された商品のみならず棚１７上方の陳列室７内も加熱されるため、加温使用状態となる。ここで、中央の棚１７の筋交い２３の下面に冷気が流れるので、筋交い２３の温度は低下するが、筋交い２３と棚１７間には空気層３５が形成されている。この空気層３５は空気が対流しない程度の空間とされており、これにより筋交い２３から間接的に棚１７やその上方の陳列室７内が冷却作用を受ける不都合が防止若しくは抑制される。また、電気ヒータＨからの熱は棚飾り３２にも伝達されるので、風向板部３２Ａも加熱される。これにより、風向板部３２Ａへの結露が防止される。
【００５３】
尚、最上段の棚１７より上方のみを加温使用とする場合には、当該棚１７のダンパ３６を水平状態として吹出口３４を開放し、冷気ダクト６をその位置で閉塞する。これにより、前述同様に冷気ダクト６内を上昇した冷気は、最上段の棚１７後方の吹出口３４から吹き出され、当該棚１７の下側の筋交い２３に案内されてその前部からそれより下方の陳列室７内に吹き出されるようになる。
【００５４】
また、ダンパ３６の閉塞部４６は、切換スイッチ６３上に覆い被さり、その重量により切換スイッチ６３のアクチュエータ６４を押し下げる。これにより、最上段の棚１７に対応する切換スイッチ６３（図９の向かって右側）の接点６６Ａ、６６Ｂが閉じるので、当該切換スイッチ６３の接点６６Ａ、６６Ｂの常開端子からコントローラ６８、及び、加温基板６９にＤＣ電圧（信号）が入力される。
【００５５】
この最上段の棚１７に対応する切換スイッチ６３から信号が入力されると、加温基板６９は当該最上段の棚１７の電気ヒータＨに通電し、その温度センサ７４の検出値に基づいて通電を制御するようになる。また、コントローラ６８は最上段の棚１７より上方の陳列室７の温度の異常を判断しなくなる。これにより、最上段の棚１７より上方が加温使用、下方が冷却使用状態となる。
【００５６】
（３）全加温使用状態
尚、陳列室７の全体を加温して使用する場合には、設定パネル７３を操作することで、設定を全加温状態とする。設定が全加温状態とされると、コントローラ６８は圧縮機６１や送風機１２、６２を停止する。また、加温基板６９にＡＬＬ  ＨＯＴの信号を送信する。加温基板６９はコントローラ６８からＡＬＬ  ＨＯＴの信号を受信すると、各棚１７及びデッキパン４の電気ヒータＨを全て通電させる。これにより、陳列室７内全体が加温される状態となる。
【００５７】
以上詳述した如く、ショーケース１の棚１７等に設けられた電気ヒータＨと、吹出口３４を開閉自在に閉塞するダンパ３６と、吹出口３４に対応して冷気ダクト６内に設けられた切換スイッチ６３と、電気ヒータＨの通電を制御する制御装置６７を設け、ダンパ３６が、それ自体を操作することによって起立した状態と水平とされた状態とに変更可能とされており、起立状態では吹出口３４を閉塞し、水平状態で冷気ダクト６を閉塞し、吹出口３４を開放すると共に、当該水平状態で、ダンパ３６が切換スイッチ６３の接点６６Ａ、６６Ｂを切り換え、この接点６６Ａ、６６Ｂが切り換えられたことにより、制御装置６７の加温基板６９が電気ヒータＨに通電するようにしたので、ダンパ３６自体を操作して水平状態とするのみで、当該ダンパ３６により切換スイッチ６３の接点６６Ａ、６６Ｂが切り換えられ、電気ヒータＨに通電されることになる。
【００５８】
これにより、ダンパ３６を動作させるためのレバー等を設ける必要がなくなり、著しい構造の簡素化を図ることができるようになると共に、電気ヒータＨに通電するために別途スイッチを切り換えるなどの操作も不要となるので、操作性も著しく改善される。また、切換スイッチ６３は冷気ダクト６内に設けられているので、この切換スイッチ６３により吹出口３４から棚１７の前部に案内される冷気が乱される不都合も生じない。
【００５９】
また、ダンパ３６が切換スイッチ６３の接点６６Ａ、６６Ｂを切り換えたとき、制御装置６７が、当該ダンパ３６に対応する棚１７及びそれより上方の棚１７の電気ヒータＨに通電するので、一つのダンパ３６の操作のみでそれに対応する棚１７を含む上方の陳列室７内の棚１７全ての電気ヒータＨに通電されるようになり、操作性の更なる向上を図ることができるようになる。
【００６０】
更に、吹出口３４に対応して冷気ダクト６内に設けられ、ダンパ３６の水平状態を維持する磁石４４を設けたので、ダンパ３６を安定的に水平状態に維持できると共に、切換スイッチ６３の接点６６Ａ、６６Ｂのチャタリングも防止することが可能となる。
【００６１】
この場合、実施例では吹出口３４に対応して冷気ダクト６内にダンパ保持具３７を設け、このダンパ保持具３７に、仕切板３の冷気ダクト６側に間隔を存して対向する挟持部４３と、吹出口３４の上部後方に位置する支持部４２を設け、ダンパ３６には、冷気ダクト６側に位置する閉塞部４６と、陳列室７側に位置する操作部４７を形成し、閉塞部４６が仕切板３とダンパ保持具３７の挟持部４３間に挿脱自在に落とし込まれた状態でダンパ３６は起立し、閉塞部４６は仕切板３の冷気ダクト６側に沿って吹出口３４を閉塞し、操作部４７は仕切板３の陳列室７側に沿うと共に、操作部４７によりダンパ３６を持ち上げ、閉塞部４６が仕切板３と挟持部４３間から離脱した状態で水平となり、閉塞部４６はダンパ保持具３７の支持部４２に支持されて冷気ダクト６を閉塞し、操作部４７は吹出口３４より陳列室７側に突出して棚１７及び筋交い２３と仕切板３間に位置するので、回転軸を用いた回動やスライド等の複雑な構造を用いること無く、ダンパ３６により吹出口３４及び冷気ダクト６を開閉することができるようになる。
【００６２】
即ち、棚１７の上下を冷却して使用する場合には、ダンパ３６を起立状態として吹出口３４を閉塞する。そして、棚１７の電気ヒータＨを発熱させて棚１７より上方の陳列室７内を加温して使用し、棚１７より下方には冷気を吐出して冷却する場合には、操作部４７によりダンパ３６を持ち上げ、水平状態として冷気ダクト６を閉塞し、吹出口３４を開くことにより、冷気を棚１７下方に吐出することができるようになり、構造の簡素化による著しい生産コストの削減を図ることができるようになる。
【００６３】
実施例ではこのようなダンパ保持具３７を設け、ダンパ３６の水平状態を、ダンパ保持具３７の支持部４２が有する磁石４４で維持するようにしたので、簡単な構造でダンパ３６の水平状態を維持し、且つ、切換スイッチ６３のチャタリングを防止でき、更に、その状態から起立させる操作も容易となる。
【００６４】
そして、切換スイッチ６３を実施例ではマイクロスイッチで構成しているので、冷気ダクト６内の冷気の流通にも支障が生じないと共に、ダンパ３６によって確実に接点６６Ａ、６６Ｂの切り換えを行わせることができるようになる。
【００６５】
尚、実施例ではマイクロスイッチで切換スイッチ６３を構成したが、それに限らず、磁石で接点が切り換わる近接スイッチを用いても良い。その場合には、磁石をダンパ３６の閉塞部４６に取り付けて近接スイッチ（切換スイッチ６３）の接点（６６Ａ、６６Ｂ）を切り換え、当該磁石を支持部４２に吸着させてダンパ３６の水平状態を維持するようにしても良い。
【００６６】
尚、上記実施例ではブラケット２１の筋交い２３により吹出口３４からの冷気を棚１７の前部に案内するようにしたが、棚１７に棚ダクトを形成しても本発明は有効である。
【符号の説明】
【００６７】
１  ショーケース
２  断熱壁
３  仕切板
６  冷気ダクト
７  陳列室
１７  棚
１８  支柱
１９  係合孔
２１  ブラケット
２３  筋交い
３２  棚飾り
３２Ａ  風向板部
３４  吹出口
３６  ダンパ
３７  ダンパ保持具
４１  案内部
４２  支持部
４３  挟持部
４４  磁石
４６  閉塞部
４７  操作部
６３  切換スイッチ
６４  アクチュエータ
６６Ａ、６６Ｂ  接点
６７  制御装置（制御手段）
Ｈ  電気ヒータ
【図１】
2015165875.tif 000003
【図２】
2015165875.tif 000004
【図３】
2015165875.tif 000005
【図４】
2015165875.tif 000006
【図５】
2015165875.tif 000007
【図６】
2015165875.tif 000008
【図７】
2015165875.tif 000009
【図８】
2015165875.tif 000010
【図９】
2015165875.tif 000011
【図１０】
2015165875.tif 000012
【図１１】
2015165875.tif 000013
【図１２】
2015165875.tif 000014